(57)【要約】【課題】  携帯電話の表示窓を消灯したときにカレンダー等の情報を表示させると共に、表示窓の装飾機能を備えた表示窓用貼着フィルムを提供する。【解決手段】  携帯電話２０の表示窓１８に貼着して使用される表示窓用貼着フィルム１１であって、該貼着フィルム１１は、酸化金属蒸着層１６を形成して薄着色の半透明フィルム１２にし、該半透明フィルム１２の一方の面に弱接着層１３を介してカバーフィルム１４を取り付け、他方の面に、少なくともホログラムエンボス層２１と酸化金属層２２とを有するホットスタンプ箔を型押しした文字又は数字等の表示部１９を設け、該表示部１９は、携帯電話２０の表示窓１８が不使用の状態の時に視認でき、使用状態においては透過して視認できない構成にした。【選択図】      図２
2005221555.tif 000002
【特許請求の範囲】
【請求項１】
携帯電話の表示窓に貼着して使用される表示窓用貼着フィルムであって、
該貼着フィルムは、酸化金属蒸着層を形成して薄着色の半透明フィルムにし、該半透明フィルムの一方の面に弱接着層を介してカバーフィルムを取り付け、
他方の面に、少なくともホログラムエンボス層と酸化金属層とを有するホットスタンプ箔を型押しした文字又は数字等の表示部を設け、
該表示部は、携帯電話の表示窓が不使用の状態の時に視認でき、使用状態においては透過して視認できない構成にしたこと
を特徴とする表示窓用貼着フィルム。
【請求項２】
前記表示部には、カレンダー又はロゴタイプ等の装飾が表示されていることを特徴とする請求項１に記載の表示窓用貼着フィルム。
【発明の詳細な説明】
【技術分野】
【０００１】
本発明は、主に携帯電話の表示窓に貼着して使用し、表示窓を消灯したときに鏡面状を呈すると共に、カレンダー等の所定の表示が表れる表示窓用貼着フィルムに関するものである。
【背景技術】
【０００２】
従来、携帯電話の表示窓に貼着して使用するフィルムとしては、次のような構成の表示窓装飾用シートが知られている。この表示窓装飾用シートは、ポリエステル形成層の一方の面にホログラムのエンボスが形成してあり、このエンボスの外側に亜鉛蒸着層とアンカー層とが積層されている。また、ポリエステル形成層の他方の面にはウレタン樹脂製のシートを貼着させた構成である（特許文献１参照）。
【０００３】
このような構成の表示窓装飾用シートは、ホログラム又はエンボスが常時目視できるので、表示窓に常に何らかの絵柄が表れることとなり、複雑な装飾効果が得られるものである。
【特許文献１】実用新案登録第３０６４５３２号公報（第２頁、図１乃至図４）。
【発明の開示】
【発明が解決しようとする課題】
【０００４】
この従来例の表示窓装飾用シートにおいては、表示窓に常に絵柄が表れるので、携帯電話の使用状態において絵柄が邪魔になるという欠点がある。
【０００５】
従って、従来例における場合においては、携帯電話を不使用のときにだけ表示部が表示窓に表れるようにすると共に、装飾機能を発揮できるようにすることに解決しなければならない課題を有している。
【課題を解決するための手段】
【０００６】
前記従来例の課題を解決する具体的手段として本発明は、携帯電話の表示窓に貼着して使用される表示窓用貼着フィルムであって、該貼着フィルムは、酸化金属蒸着層を形成して薄着色の半透明フィルムにし、該半透明フィルムの一方の面に弱接着層を介してカバーフィルムを取り付け、他方の面に、少なくともホログラムエンボス層と酸化金属層とを有するホットスタンプ箔を型押しした文字又は数字等の表示部を設け、該表示部は、携帯電話の表示窓が不使用の状態の時に視認でき、使用状態においては透過して視認できない構成にしたことを特徴とする表示窓用貼着フィルムを提供するものである。
【０００７】
また、前記表示部には、カレンダー又はロゴタイプ等の装飾が表示されている構成としたものである。
【発明の効果】
【０００８】
本発明に係る表示窓用貼着フィルムは、携帯電話の表示窓に貼着して使用される表示窓用貼着フィルムであって、該貼着フィルムは、酸化金属蒸着層を形成して薄着色の半透明フィルムにし、該半透明フィルムの一方の面に弱接着層を介してカバーフィルムを取り付け、他方の面に、少なくともホログラムエンボス層と酸化金属層とを有するホットスタンプ箔を型押しした文字又は数字等の表示部を設け、該表示部は、携帯電話の表示窓が不使用の状態の時に視認でき、使用状態においては透過して視認できない構成にしたことによって、表示窓を消灯したときにカレンダー等の所定の表示を見ることができる。その際、表示窓が鏡面状に形成されて装飾機能を発揮することとなるという種々の優れた効果を奏する。
【０００９】
また、前記表示部には、カレンダー又はロゴタイプ等の装飾が表示されていることによって、表示窓が消灯したときにカレンダー等を見られるので、便利であるという優れた効果を奏する。
【発明を実施するための最良の形態】
【００１０】
携帯電話を不使用のときだけに、カレンダー等の表示が表示窓に表れると共に装飾機能を発揮できるようにするというという目的を、エンボス加工し酸化金属蒸着層を形成した薄着色の半透明フィルムの片面に、少なくともホログラムエンボス層と酸化金属層とを有するホットスタンプ箔を型押しした表示部を設けることにより実現した。
【実施例１】
【００１１】
次に、本発明の実施の形態について図面を参照しながら説明する。まず、図１は、携帯電話の表示窓に貼着する表示窓用貼着フィルム１１の斜視図であって、図２は、拡大断面図である。この表示窓用貼着フィルム１１は、薄着色の半透明フィルム１２と、この半透明フィルム１２の一方の面に弱接着層１３を介して取り付けたカバーフィルム１４とから構成されている。
【００１２】
半透明フィルム１２は、一例を上げれば、ポリエステルフィルム、又はポリプロピレンフィルムで形成されており、厚さが７〜１００ミクロン程度である。
【００１３】
また、半透明フィルム１２の一方の面には、銀を蒸着した酸化金属蒸着層１６が形成されている。なお、酸化金属としては、他に硫化亜鉛、アルミニウム、クロム等を用いても良い。
【００１４】
このように、半透明フィルム１２の一方の面に、酸化金属蒸着層１６有することから、表示窓用貼着フィルム１１がハーフミラー状に形成されることとなり、表示窓１８を消灯したときに表示窓用貼着フィルム１１が鏡面を呈することとなる。
【００１５】
酸化金属蒸着層１６の上には、所定の接着剤による弱接着層１３を介してカバーフィルム１４が剥離自在に設けられている。
【００１６】
カバーフィルム１４は、一例を上げれば、透明なポリエステルフィルム、又はポリプロピレンフィルムで形成されており、厚さが７５〜１００ミクロン程度である。そして、このカバーフィルム１４を剥離してから、弱接着層１３を下にして表示窓１８に貼着させて使用する。
【００１７】
半透明フィルム１２の他方の面には、少なくともホログラムエンボス層と酸化金属層とを有するホットスタンプ箔を型押しした文字又は数字等の表示部１９が設けられている。表示部１９は、前記ホットスタンプ箔に対応してホログラムエンボス層２１と酸化金属層２２とが少なくとも形成されることとなる。なお、表示部１９は、例えばカレンダー等である。
【００１８】
ホログラムエンボス層２１は、透明なホログラムを転写して形成されたものであり、厚さが０．２〜０．３ミクロン程度である。このように、ホログラムエンボス層２１を設けることにより、表示部１９が光沢を有して視認性と装飾効果とを発揮することとなる。
【００１９】
酸化金属層２２は、一例を上げれば、銀をハーフ蒸着して形成されており、厚さが０．０５ミクロン程度である。なお、酸化金属としては、他に硫化亜鉛、アルミニウム、クロム等を用いても良い。
【００２０】
以上のように構成された表示窓用貼着フィルム１１は、表示窓１８の大きさにほぼ対応させて切断してから、カバーフィルム１４を剥離して、弱接着層１３を下にして表示窓１８に貼着する（図３参照）。このように表示窓１８に貼着して使用することにより、携帯電話２０の使用時に表示窓１８が明るく発光している時には、表示部１９（カレンダー）の表示部分を光が透過することより、その表示部１９が視認できなくなり、表示窓１８における携帯電話としての表示部分が鮮明に見え、種々の携帯電話としての操作に全く支障を来さないのである。また、表示窓１８の消灯寺又は省エネモードの時には、表示部１９が透けた状態で視認できることとなると共に、表示窓１８が鏡面状に形成されて装飾機能を発揮することとなる。
【産業上の利用可能性】
【００２１】
本発明の表示窓用貼着フィルムは、携帯電話の表示窓のみならず、携帯型電子機器やパソコンのディスプレー、時計等の種々の表示窓に貼着して使用することが可能である。
【図面の簡単な説明】
【００２２】
【図１】本発明に係る表示窓用貼着フィルムの斜視図である。
【図２】本発明に係る表示窓用貼着フィルムの拡大断面図である。
【図３】本発明に係る表示窓用貼着フィルムを貼着した携帯電話の斜視図である。
【符号の説明】
【００２３】
１１  表示窓用貼着フィルム
１２  半透明フィルム
１３  弱接着層
１４  カバーフィルム
１６  酸化金属蒸着層
１８  表示窓
１９  表示部
２０  携帯電話
２１  ホログラムエンボス層
２２  酸化金属層
【図１】
2005221555.tif 000003
【図２】
2005221555.tif 000004
【図３】
2005221555.tif 000005